(57)【要約】【課題】折り畳み自在な荷役用パレットにおけるサイドパネルの位置決め効果と支持強度を高めながら構造を簡略化する。【解決手段】荷支持台１は、フレーム構造体６とこの上に敷設されたメッシュ構造体７とから成り、荷支持台１の左右両側部に設けられたパネル支持部２５は、メッシュ構造体７から左右外側に張り出しているフレーム構造体６の左右両側部に、メッシュ構造体７の上面レベルより一段低い状態に設けられ、このパネル支持部２５には、サイドパネル３が外側に開動するのを阻止する上向きの突出部材（折り畳み段積み用支持具１５）が併設され、パネル支持部２５の内側に位置するメッシュ構造体７の左右両側辺に、内側に閉動するサイドパネル３の下側辺が係合する構成。【選択図】図５
2008285225.tif 000002
【特許請求の範囲】
【請求項１】
左右両側部にパネル支持部を備えた荷支持台、この荷支持台の後側辺に当該荷支持台上へ折り畳み自在に立設されたバックパネル、及びこのバックパネルの左右両側辺に当該バックパネルに重ねるように折り畳み自在に連設され且つ前記荷支持台のパネル支持部で下側辺が支持されるサイドパネルを備えた折り畳み自在な荷役用パレットであって、前記荷支持台は、フレーム構造体とこの上に敷設されたメッシュ構造体とから成り、前記パネル支持部は、前記メッシュ構造体から左右外側に張り出している前記フレーム構造体の左右両側部に、当該メッシュ構造体の上面レベルより一段低い高さに設けられ、このパネル支持部には、前記サイドパネルが外側に開動するのを阻止する上向きの突出部材が併設され、前記パネル支持部の内側に位置する前記メッシュ構造体の左右両側辺に、内側に閉動する前記サイドパネルの下側辺が係合するように構成された、折り畳み自在な荷役用パレット。
【請求項２】
前記荷支持台のパネル支持部は、メッシュ構造体から左右外側に張り出しているフレーム構造体の左右両側部の前後方向全長にわたって連続する板面で構成されている、請求項１に記載の折り畳み自在な荷役用パレット。
【請求項３】
前記フレーム構造体のメッシュ構造体から左右外側に張り出している左右両側部は、前後方向枠材で構成され、前記パネル支持部を構成する板面は、前記前後方向枠材の天板部で構成されている、請求項２に記載の折り畳み自在な荷役用パレット。
【請求項４】
前記荷支持台のパネル支持部は、メッシュ構造体から左右外側に張り出しているフレーム構造体の左右両側部に、その長さ方向において部分的に存在する板面で構成されている、請求項１に記載の折り畳み自在な荷役用パレット。
【請求項５】
前記荷支持台には、その左右両側部の前後２カ所に下向きに突設され且つパレット段積み時に下段パレットのサイドパネルに支持される脚体が設けられ、前記パネル支持部を構成する板面は、平面視において前記脚体と重なる領域に配設されている、請求項４に記載の折り畳み自在な荷役用パレット。
【請求項６】
前記フレーム構造体のメッシュ構造体から左右外側に張り出している左右両側部は、上側開放の溝形材から成る前後方向枠材から構成され、前記パネル支持部を構成する板面は、前記前後方向枠材の開放上側部に架設された板材で構成されている、請求項４又は５に記載の折り畳み自在な荷役用パレット。
【請求項７】
前記フレーム構造体のメッシュ構造体から左右外側に張り出している左右両側部は、前後方向枠材と、この前後方向枠材より上端レベルが一段高い左右方向枠材の端部とで構成され、前記パネル支持部を構成する板面は、前記左右方向枠材の端部の天板部で構成されている、請求項４又は５に記載の折り畳み自在な荷役用パレット。
【請求項８】
前記フレーム構造体は、メッシュ構造体から左右外側に張り出す左右両側部を構成する前後方向枠材を備え、前記メッシュ構造体は、フレーム構造体の上に左右方向適当間隔おきに並列配置された前後方向線材と、この前後方向線材の上に前後方向適当間隔おきに並列配置された左右方向線材から構成され、このメッシュ構造体における左右両端の前後方向線材が、前記フレーム構造体の前後方向枠材の上面の内側辺寄りに載置固定されている、請求項１〜７の何れか１項に記載の折り畳み自在な荷役用パレット。
【発明の詳細な説明】
【技術分野】
【０００１】
本発明は、荷支持台、この荷支持台の後側辺に当該荷支持台上へ折り畳み自在に立設されたバックパネル、及びこのバックパネルの左右両側辺に当該バックパネルに重ねるように折り畳み自在に連設されたサイドパネルを備えた折り畳み自在な荷役用パレットに関するものである。
【背景技術】
【０００２】
荷役用パレットとして、荷支持台、この荷支持台の後側辺に当該荷支持台上へ折り畳み自在に立設されたバックパネル、及びこのバックパネルの左右両側辺に当該バックパネルに重ねるように折り畳み自在に連設されたサイドパネルを備えた折り畳み自在な荷役用パレットが知られている。従来のこの種の荷役用パレットは、特許文献１に記載されるように、荷支持台をフレーム構造体とその上に敷設されたメッシュ構造体とから構成しているが、フレーム構造体の左右両端に位置する前後方向枠材に上側開放の溝形材を使用し、この溝形材の上に被さるメッシュ構造体の左右両側辺でサイドパネルの下側辺を支持させると共に、当該サイドパネルの下側辺から下向きに突設した突出片を、メッシュ構造体の網目を通過させて前記溝形材の凹溝部内に嵌入させることにより、サイドパネルの下側辺を位置決めするように構成していた。
【特許文献１】特開２００５−９６８２３号公報
【発明の開示】
【発明が解決しようとする課題】
【０００３】
上記のような従来の荷役用パレットの構成では、荷支持台のメッシュ構造体でサイドパネルの下側辺を支持する構造であるため、このパレットを段積みした場合にサイドパネルに作用する下向き荷重でメッシュ構造体の線材やサイドパネルの下側辺を形成する線材が変形する恐れがあり、これら荷支持台のメッシュ構造体やサイドパネルを構成する線材の線径を太くして強度アップを図らなければならないので、コストアップを免れなかった。又、サイドパネルの下側辺から突出する突出片が変形して、正常な組立てに支障を来す恐れもある。
【課題を解決するための手段】
【０００４】
本発明は上記のような従来の問題点を解消し得る折り畳み自在な荷役用パレットを提供することを目的とするものであって、請求項１に記載の折り畳み自在な荷役用パレットは、後述する実施形態の参照符号を付して示すと、左右両側部にパネル支持部２５を備えた荷支持台１、この荷支持台１の後側辺に当該荷支持台上へ折り畳み自在に立設されたバックパネル４、及びこのバックパネル４の左右両側辺に当該バックパネル４に重ねるように折り畳み自在に連設され且つ前記荷支持台１のパネル支持部２５で下側辺が支持されるサイドパネル２，３を備えた折り畳み自在な荷役用パレットであって、前記荷支持台１は、フレーム構造体６とこの上に敷設されたメッシュ構造体７とから成り、前記パネル支持部２５は、前記メッシュ構造体７から左右外側に張り出している前記フレーム構造体６の左右両側部に、メッシュ構造体７の上面レベルより一段低い高さに設けられ、このパネル支持部２５には、前記サイドパネル２，３が外側に開動するのを阻止する上向きの突出部材（折り畳み段積み用支持具１５）が併設され、前記パネル支持部２５の内側に位置する前記メッシュ構造体７の左右両側辺に、内側に閉動する前記サイドパネル２，３の下側辺が係合する構成となっている。
【０００５】
上記構成の本発明を実施するについて、具体的には請求項２に記載のように、前記荷支持台１のパネル支持部２５は、メッシュ構造体７から左右外側に張り出しているフレーム構造体６の左右両側部の前後方向全長にわたって連続する板面２５ａで構成することができるが、このとき、フレーム構造体６のメッシュ構造体７から左右外側に張り出している左右両側部が前後方向枠材１６ａ，１６ｂで構成されている場合には、請求項３に記載のように、前記パネル支持部２５を構成する板面２５ａは、その前後方向枠材１６ａ，１６ｂの天板部で構成することができる。
【０００６】
又、請求項４に記載のように、前記荷支持台１のパネル支持部２５は、メッシュ構造体７から左右外側に張り出しているフレーム構造体６の左右両側部に、その長さ方向において部分的に存在する板面２５ａで構成することもできる。このとき、前記荷支持台１に、その左右両側部の前後２カ所に下向きに突設され且つパレット段積み時に下段パレットのサイドパネル２，３に支持される脚体８が設けられている場合は、請求項５に記載のように、前記パネル支持部２５を構成する板面２５ａは、平面視において前記脚体８と重なる領域に配設することができる。
【０００７】
上記請求項４又は５に記載の構成を採用する場合で、メッシュ構造体７から左右外側に張り出しているフレーム構造体６の左右両側部が、上側開放の溝形材３０から成る前後方向枠材１６ａ，１６ｂから構成されている場合には、請求項６に記載のように、前記パネル支持部２５を構成する板面２５ａは、前記前後方向枠材１６ａ，１６ｂの上側開放部に架設された板材３１で構成することができる。又、メッシュ構造体７から左右外側に張り出しているフレーム構造体６の左右両側部が、前後方向枠材１６ａ，１６ｂと、この前後方向枠材１６ａ，１６ｂより上端レベルが一段高い左右方向枠材１７ａ，１７ｂの端部とで構成されている場合は、請求項７に記載のように、前記パネル支持部２５を構成する板面２５ａは、前記左右方向枠材１７ａ，１７ｂの端部の天板部で構成することができる。
【０００８】
更に、フレーム構造体６が、メッシュ構造体７から左右外側に張り出す左右両側部を構成する前後方向枠材１６ａ，１６ｂを備え、前記メッシュ構造体７は、フレーム構造体６の上に左右方向適当間隔おきに並列配置された前後方向線材１８と、この前後方向線材１８の上に前後方向適当間隔おきに並列配置された左右方向線材１９から構成されている場合、請求項８に記載のように、このメッシュ構造体７における左右両端の前後方向線材１８ａを、前記フレーム構造体６の前後方向枠材１６ａ，１６ｂの上面の内側辺寄りに載置固定することができる。
【発明の効果】
【０００９】
上記請求項１に記載の本発明に係る折り畳み自在な荷役用パレットは、荷支持台の左右両側部のパネル支持部で支持されたサイドパネルの下側辺を、前記パネル支持部に併設されている上向きの突出部材と荷支持台を構成するメッシュ構造体の側辺との間で挟んで位置決めするものであるから、サイドパネルの下側辺に位置決めのための突出片を突設させる必要がなくなる。又、荷支持台側のパネル支持部は、荷支持台のメッシュ構造体ではなく、当該メッシュ構造体を支持する強度部材としてのフレーム構造体における左右両側部に設けるものであるから、このパレットの段積み時にサイドパネルに作用する大きな下向き荷重を直接フレーム構造体で受け止めさせることができ、従来のようにメッシュ構造体の線材が変形するような恐れが解消する。換言すれば、荷支持台を構成するメッシュ構造体の線材を、パレットの段積み時の負荷を考慮して線径を太くする必要がなくなる。しかも、サイドパネルが内側へ閉動するのを防止する手段として荷支持台のメッシュ構造体の側辺を利用するものであるから、特別な部材を追加する必要がない。従って、全体としてパレットの軽量化、コストダウンを図ることができる。
【００１０】
尚、請求項２に記載の構成によれば、フレーム構造体の左右両側部の前後方向全長にわたって連続する板面でサイドパネルの下側辺を支持させることができるので、パレット段積み時にサイドパネルに作用する上段パレットからの荷重をフレーム構造体の左右両側部の前後方向全域に分散させて無理なく受け止めさせることができ、大荷重用のパレットにも活用できる。この場合、請求項３に記載の構成によれば、フレーム構造体のメッシュ構造体から左右外側に張り出している左右両側部を構成する前後方向枠材に角パイプや下側開放の溝形材を利用するだけで、本発明を簡単に実施することができる。
【００１１】
勿論、請求項４に記載のように、荷支持台左右両側部のパネル支持部は、フレーム構造体の左右両側部の長さ方向全域にわたって連続している必要はないが、この場合、請求項５に記載の構成によれば、部分的に存在する板面でパネル支持部を構成するものであるにもかかわらず、パレット段積み時に上段パレットの荷重を集中して受けるサイドパネルの前後方向２箇所は確実にフレーム構造体側の板面で支持させることができ、サイドパネルの変形を防止することができる。この請求項４や５に記載の構成を実施する場合、請求項６や７に記載の構成によれば、簡単に実施することができる。特に請求項７に記載の構成によれば、パネル支持部を構成するための特別な板材を追加する必要がなく、構造をシンプルにすることができる。
【００１２】
又、請求項８に記載の構成によれば、フレーム構造体の左右両側部のパネル支持部を構成する前後方向枠材に、当該パネル支持部に必要な横幅より少し幅広の部材を使用するだけで、支持するサイドパネルが内側に閉動するのを阻止する係合部を構成するメッシュ構造体の左右両側辺をフレーム構造体の前記前後方向枠材で支持させて、メッシュ構造体の耐荷重性能を高めることができる。
【発明を実施するための最良の形態】
【００１３】
以下に本発明に係る荷支持台を折り畳み自在な箱型パレットの荷支持台に利用した具体的実施例を添付図に基づいて説明すると、図１及び図２において、１は平面矩形の荷支持台、２，３は荷支持台１の左右両側辺から起立するサイドパネル、４は荷支持台１の後側辺から起立するバックパネル、５は荷支持台１の前側辺から起立する開閉自在なゲートパネルである。荷支持台１は、フレーム構造体６とその上に重ねて固着されたメッシュ構造体７とから構成され、フレーム構造体６の四隅近傍の下側には、脚体８が付設されている。サイドパネル２，３は、バックパネル４の左右両側辺にコイルヒンジ９を介して当該バックパネル４の内側に重ねるように折り畳み自在に連結されている。バックパネル４は、その下端から内側に直角に折曲連設された折曲底辺部１０を備えた側面視Ｌ形のもので、その折曲底辺部１０の先端においてヒンジ１１により荷支持台１上に起伏自在に連結されている。
【００１４】
ゲートパネル５は、下側ゲート部５ａと、この下側ゲート部５ａの上辺にヒンジ１２によって前後開閉自在に連結された上側ゲート部５ｂとから成り、下側ゲート部５ｂの下辺が荷支持台１の前側辺にコイルヒンジ１３により起伏自在に連結されている。そして、垂直に起立させたゲートパネル５の下側パネル部５ａの左右両側辺上端部と上側パネル部５ｂの左右両側辺上端部とをサイドパネル２，３の前側辺に係止する４つの係止手段１４が併設されている。
【００１５】
上記構成の荷役用パレットは、図１に示す組立て状態において、各パネル２〜５で囲まれた荷支持台１上の荷収納空間内に荷を収納して、運搬や保管に利用されるものであるが、荷を取り出すときは、係止手段１４を解除して、ゲートパネル５の全体又は上側ゲートパネル部５ｂのみを手前に回倒して荷収納空間の前側を開放することができる。この組立て状態での荷役用パレットは、図２に仮想線で示すように、上段のパレットの左右両側の脚体８を下段のパレットの左右両サイドパネル２，３の上辺に嵌合させることにより、段積みすることができる。
【００１６】
使用しない荷役用パレットは、係止手段１４を解除して荷支持台１上にゲートパネル５を重ねるように折り畳み、左右両サイドパネル２，３をバックパネル４の内側に重ねるように折り畳んだ状態で当該バックパネル４を荷支持台１上に重ねるように折り畳むことにより、荷支持台１上の高さが、最上位に位置する折り畳まれたバックパネル４の垂直姿勢にある折曲底辺部１０の高さ相当まで低くすることができる。この実施形態でのパレットは、折り畳んだパレットを段積みするための折り畳み段積み用支持具１５が、荷支持台１の左右両側辺の前後２箇所に付設されている。
【００１７】
上記のように使用される折り畳み自在な荷役用パレットにおいて採用した本発明に係る構成を図３〜図５に基づいて説明すると、図３に示すように、荷支持台１のフレーム構造体６は、左右一対の前後方向枠材１６ａ，１６ｂと、この両前後方向枠材１６ａ，１６ｂの対面する内側面どうしを連結する３本の左右方向枠材１７ａ〜１７ｃとから構成されている。各枠材１６ａ〜１７ｃは高さが同一（例えば３０ｍｍ）の角パイプ材を所要長さに裁断しただけのもので、前後方向枠材１６ａ，１６ｂは正方形断面（例えば３０×３０ｍｍ）の角パイプ材、前後両端の左右方向枠材１７ａ，１７ｂは倍の幅を有する横長断面（例えば３０×６０ｍｍ）の角パイプ材、中間の左右方向枠材１７ｃは幅の狭い縦長断面（例えば３０×２０ｍｍ）の角パイプ材をそれぞれ使用し、突き合わせ箇所を溶接して構成している。勿論、全ての枠材１６ａ〜１７ｃの上面は同一レベルにあって、連続した平坦面を形成している。而して、前記脚体８は、前後方向枠材１６ａ，１６ｂの下側で前後両端の左右方向枠材１７ａ，１７ｂとのＴ形交叉部に溶接により固着され、折り畳み段積み用支持具１５は、その下端部が、前記脚体８の真上位置で前後方向枠材１６ａ，１６ｂの外側面に溶接により固着されている。
【００１８】
荷支持台１のメッシュ構造体７は、図３に示すように、左右方向に適当間隔おきに並列する多数本の前後方向線材１８と、これら前後方向線材１８の上側で前後方向に適当間隔おきに並列させた多数本の左右方向線材１９を、溶接により互いに固着して構成されたもので、図４に示すように、このメッシュ構造体７をフレーム構造体６の上面（各枠材１６ａ〜１７ｃの上面）に載置し、当該メッシュ構造体７の下側の前後方向線材１８とフレーム構造体６の各枠材１６ａ〜１７ｃの上面とを溶接により互いに固着して一体化している。このときメッシュ構造体７の左右両端に位置する前後方向線材１８ａがフレーム構造体６における左右一対の前後方向枠材１６ａ，１６ｂの上面の内側辺近くに載置固着され、フレーム構造体６の左右両側部、即ち、左右一対の前後方向枠材１６ａ，１６ｂの横幅の大部分がメッシュ構造体７の左右両側辺から外側に張り出して、サイドパネル２，３の下側辺を支持するパネル支持部２５が構成されている。尚、メッシュ構造体７の前後両端に位置する左右方向線材１９ａは、フレーム構造体６における左右一対の前後方向枠材１６ａ，１６ｂの前後両端よりも少し外側に突出して位置するように構成されている。
【００１９】
上記の荷支持台１の構成によれば、荷支持台１の左右両側部に構成されたパネル支持部２５は、前後方向枠材１６ａ，１６ｂ（角パイプ）の天板部で形成される、メッシュ構造体７の上面レベル（上側の左右方向線材１９の上端レベル）より一段低い、前後方向の全長にわたって連続する板面２５ａを備えており、このパネル支持部２５の外側辺に前記折り畳み段積み用支持具１５が位置し、内側辺にメッシュ構造体７の左右両側辺（前後方向線材１８ａの位置）が位置している。従って、このパネル支持部２５で支持されるサイドパネル２，３は、外側に開動することを折り畳み段積み用支持具１５によって阻止され、内側への閉動は、その下側辺がメッシュ構造体７の左右両側辺と係合することにより阻止される。
【００２０】
又、メッシュ構造体７の左右方向線材１９は、フレーム構造体６における各左右方向枠材１７ａ〜１７ｃには重ならない領域、即ち、各左右方向枠材１７ａ〜１７ｃから前後に適当距離だけ離れた領域にのみ配列され、フレーム構造体６における前後両端の左右方向枠材１７ａ，１７ｂの外側には、メッシュ構造体７の前後両端に位置する各１本の左右方向線材１９ａのみが配置されている。従って、平面視において、各左右方向枠材１７ａ〜１７ｃとこれの前後に隣接する左右方向線材１９，１９ａとの間でも、メッシュ構造体７の網目とほぼ同一サイズの網目が形成されている。
【００２１】
図４及び図５に示すように、バックパネル４は、縦線材２０と横線材２１とを適当間隔おきに配列すると共に交叉部で両線材どうしを溶接により結合一体化して構成したメッシュ構造のものであって、バックパネル４の下端から所要長さ延出させた各縦線材２０を内側へ直角に折曲して前後方向線材部２０ａとし、この前後方向線材部２０ａの先端部上と中間部上とにそれぞれ左右方向線材２１ａ，２１ｂを重ねて互いに溶接にて固着することにより、折曲底辺部１０が構成されている。尚、この折曲底辺部１０の左右方向の長さ（幅）は、バックパネル４の垂直本体部の左右方向の長さ（横幅）よりも少し狭く、当該折曲底辺部１０を荷支持台１の後側辺部上の所定位置に載置したとき、その各前後方向線材部２０ａが、荷支持台１のメッシュ構造体７における前後方向線材１８の互いに隣り合う２本の線材間の略中央に位置すると共に、左右方向線材２１ａ，２１ｂが、当該メッシュ構造体７における左右両端の前後方向線材１８ａを除く各前後方向線材１８上に受け止められ、そして折曲底辺部１０の先端の左右方向線材２１ａが、平面視において荷支持台１のフレーム構造体６における後側の左右方向枠材１７ｂと重なるように構成されている。
【００２２】
上記構成のバックパネル４の折曲底辺部１０と荷支持台１とを連結するヒンジ１１は、３つのヒンジ部材２２ａ〜２２ｃから構成されている。各ヒンジ部材２２ａ〜２２ｃは同一構造のもので、バックパネル４の折曲底辺部１０の左右方向の略中央位置と、両端寄りの左右対称２箇所の３箇所において、バックパネル４の折曲底辺部１０における先端の左右方向線材２１ａに嵌合した状態で、荷支持台１のフレーム構造体６における後側の左右方向枠材１７ｂに溶接により固着され、バックパネル４が折曲底辺部１０における先端の左右方向線材２１ａを中心に起伏自在に取り付けられている。
【００２３】
サイドパネル２，３は、バックパネル４と同様に、縦線材２３と横線材２４とを適当間隔おきに配列すると共に交叉部で両線材どうしを溶接により結合一体化して構成したメッシュ構造のものであって、これらサイドパネル２，３とバックパネル４とを連結するコイルヒンジ９は、図４に示すように、バックパネル４の左右両側辺に位置する縦線材２０とサイドパネル２，３の後側辺に位置する縦線材２３とを連結する。そして左右両サイドパネル２，３の下側辺は、各縦線材２３の端面と最下端の横線材２４ａの周面とで形成されており、このサイドパネル２，３の下側辺が、荷支持台１の左右両側部に形成された前記パネル支持部２５で支持されることになる。尚、サイドパネル２，３の各縦線材２３の内、段積み時に上側パレットの各脚体８を支持する領域、即ち、平面視において脚体８と重なる領域にある縦線材２３には、横線材２４を挟むように内側縦線材２３ａを並列追加して、下向き荷重に対する座屈強度を高めている。
【００２４】
ゲートパネル５と荷支持台１とを連結するコイルヒンジ１３は、ゲートパネル５（下側ゲートパネル部５ａ）の下端の左右方向線材と、図４に示す荷支持台１のメッシュ構造体７における前端の左右方向線材１９ａとを連結する。
【００２５】
上記構成の荷役用パレットを折り畳むときは、係止手段１４を解除してゲートパネル５をサイドパネル２，３から切り離した状態で、両サイドパネル２，３をコイルヒンジ９での遊びを利用して垂直に少し持ち上げるか又は、バックパネル４を後方に傾けるように両サイドパネル２，３の手前を少し持ち上げて、サイドパネル２，３の下側辺をメッシュ構造体７の左右両側辺を内側へ乗り越えられるように少し高くした状態で、これら両サイドパネル２，３をバックパネル４の内側に重ねるように折り畳む。この後、ゲートパネル５を荷支持台１の上に重ねるように折り畳み、この上に両サイドパネル２，３とバックパネル４との重なりを被せるように折り畳む。このときバックパネル４は、折曲底辺部１０の先端の左右方向線材２１ａを支点に回倒前方下方に倒伏することになり、当該折曲底辺部１０の存在により、荷支持台１との間にゲートパネル５と両サイドパネル２，３とを無理なく挟み込むことができる。
【００２６】
折り畳まれたパレットを使用するときには、上記と逆の手順で展開して組み立てれば良いが、起立させたバックパネル４を後方へ少し倒した状態で両サイドパネル２，３を当該バックパネル４に対して左右に広げ、荷支持台１の左右両側辺から起立する折り畳み段積み用支持具１５の内側にサイドパネル２，３を当接させる。係る状態で両サイドパネル２，３と共にバックパネル４を前方に起こして起立させれば、両サイドパネル２，３の下側辺が、荷支持台１のメッシュ構造体７の左右両側辺から外側に張り出しているパネル支持部２５に自動的に載置されることになる。即ち、荷支持台１のメッシュ構造体７の左右両側辺と折り畳み段積み用支持具１５との間に両サイドパネル２，３の下側辺が嵌合して、当該両サイドパネル２，３の下側辺が、前後方向枠材１６ａ，１６ｂ（角パイプ）の天板部から成る前後方向に連続した平坦な板面２５ａで支持されることになる。この後、ゲートパネル５を起こし、係止手段１４で左右両サイドパネル２，３の前側辺とゲートパネル５の左右両側辺とを連結すれば組立てが完了する。
【００２７】
尚、サイドパネル２，３が外側に開くのを阻止する突出部材として、折り畳み段積み用支持具１５を利用しているが、折り畳んだパレットの段積みを行う必要がないために折り畳み段積み用支持具１５が取り付けられない場合には、メッシュ構造体７の上面と略同一高さか又はこれより少し高い程度の突出部材を、荷支持台１のパネル支持部２５の外側に上向きに突設すれば良い。この上向き突出部材としては、図６及び図７に示すように、棒状部材２６をフレーム構造体６の左右両端の前後方向枠材１６ａ，１６ｂの天板部の外側辺近傍位置や図示の外側上出隅部に溶接などで固着することができる。この場合、図示のように長さの短い複数の棒状部材２６を前後方向枠材１６ａ，１６ｂの長さ方向の複数箇所に分けて付設しても良いし、前後方向枠材１６ａ，１６ｂの全長にわたって連続する長尺の棒状部材２６を取り付けても良い。
【００２８】
図８〜図１３に示す実施形態では、線材を曲げ加工して構成した倒立Ｕ字形部材２７を上向き突出部材として利用している。この倒立Ｕ字形部材２７は、図８〜図１１に示すように、前後方向枠材１６ａ，１６ｂの外側面を内側に凹入させ、この凹入部２８内に倒立Ｕ字形部材２７の両脚部２７ａを嵌合して溶接により固着することにより、荷支持台１の左右両外側面（前後方向枠材１６ａ，１６ｂの外側面）から倒立Ｕ字形部材２７が突出しないか又は突出量を少なくすることができるが、勿論、図１２及び図１３に示すように、倒立Ｕ字形部材２７の全体が前後方向枠材１６ａ，１６ｂの外側面から突出するように取り付けても良い。何れにしても、この倒立Ｕ字形部材２７を利用するときは、図９に示すように、サイドパネル２，３が外側に開動したときに、当該サイドパネル２，３の横線材２４の外側において前後に隣り合う２本の縦線材２３間に倒立Ｕ字形部材２７が嵌まり込んで、サイドパネル２，３を前後方向において位置決めするように、倒立Ｕ字形部材２７の前後方向の幅と取付け位置とを決めておくのが望ましい。勿論、折り畳み段積み用支持具１５以外の上向き突出部材として、上記の棒状部材２６と倒立Ｕ字形部材２７に限定されるものではなく、前後方向枠材１６ａ，１６ｂの外側面に当て付けて溶接できる帯状板材など、他の任意のものを利用することができる。
【００２９】
又、先の実施形態では、メッシュ構造体７の左右両側辺をフレーム構造体６の左右両端の前後方向枠材１６ａ，１６ｂ上に載置固着したが、図８に示すように、メッシュ構造体７の左右両側辺をフレーム構造体６の左右両端の前後方向枠材１６ａ，１６ｂ上に載置しない状態で、フレーム構造体６上にメッシュ構造体７を取り付けても良い。
【００３０】
フレーム構造体６は、少なくとも左右２本の前後方向枠材１６ａ，１６ｂとこれら両前後方向枠材１６ａ，１６ｂを連結する少なくとも前後２本の左右方向枠材１７ａ，１７ｂから形成される矩形周囲枠を備えていることが必須構成要件となるが、この矩形周囲枠は、図９〜図１１に示すように、前後２本の左右方向枠材１７ａ，１７ｂの左右両端部をその対向内側面において前後方向枠材１６ａ，１６ｂで連結することにより構成することもできる。この構成によれば、荷支持台１のメッシュ構造体７から左右両外側に張り出すフレーム構造体６の左右両側部が、前後方向枠材１６ａ，１６ｂとその前後両端部に位置する左右方向枠材１７ａ，１７ｂの端部とで構成されることになる。従って、メッシュ構造体７から左右両外側に張り出すフレーム構造体６の左右両側部の前後方向全域をパネル支持部２５とする場合には、図１０に示すように、前後方向枠材１６ａ，１６ｂとその前後両端部に位置する左右方向枠材１７ａ，１７ｂの端部の上面（各枠材の天板部の上面）を面一にすれば良い。この構成では、脚体８は左右方向枠材１７ａ，１７ｂの両端部下側に固着されることになる。
【００３１】
上記構成のフレーム構造体６の場合、左右方向枠材１７ａ，１７ｂは、バックパネル４やゲートパネル５と荷支持台１のメッシュ構造体７とを連結するヒンジの関係で、先の実施形態で示した左右方向枠材１７ａ，１７ｂと同様に、荷支持台１の前後両側辺より内側に少し入った位置に配置されるので、左右両サイドパネル２，３の前端部が、図９の左側で示すように、フレーム構造体６から前方に突出することになり、パネル支持部２５の全長がサイドパネル２，３の下側辺の全長に比較して短くなる。これが問題になるようなときは、図９の右側に仮想線で示すように、左右方向枠材１７ａ，１７ｂの端部の前後両外側に、この左右方向枠材１７ａ，１７ｂの端部を介して前後方向枠材１６ａ，１６ｂを前後方向に延長する延長枠材２９を付設することができる。
【００３２】
メッシュ構造体７は、前後方向線材１８の上に左右方向線材１９を載置固着して構成したが、逆であっても良い。この場合、図３に示すように、フレーム構造体６の前後方向枠材１６ａ，１６ｂの内側に左右方向枠材１７ａ〜１７ｃが結合されているときは、前後方向枠材１６ａ，１６ｂの上面を左右方向線材１９の線径分だけ左右方向枠材１７ａ，１７ｂの上面より低くすれば、前後方向線材１８は各左右方向枠材１７ａ〜１７ｃの上面で支持させると共に、左右方向線材１９の両端部は前後方向枠材１６ａ，１６ｂの上面で支持させ、前後方向枠材１６ａ，１６ｂの天板部の上面をパネル支持部２５の板面２５ａとすることができるが、図９及び図１１に示すように、フレーム構造体６の左右方向枠材１７ａ，１７ｂの内側に前後方向枠材１６ａ，１６ｂが結合されるときは、この前後方向枠材１６ａ，１６ｂの上面を左右方向線材１９の線径分だけ左右方向枠材１７ａ，１７ｂの上面より低くすることにより、前後方向線材１８は各左右方向枠材１７ａ、１７ｂの上面で支持させると共に、左右方向線材１９の両端部は前後方向枠材１６ａ，１６ｂの上面で支持させることはできるが、サイドパネル２，３は、一段高い左右方向枠材１７ａ，１７ｂの両端部でのみ支持されることになる。換言すれば、この構成では、荷支持台１のメッシュ構造体７の左右両外側に張り出すフレーム構造体６の左右両側部に設けるパネル支持部２５は、左右方向枠材１７ａ，１７ｂの両端部の天板部の板面２５ａで構成されることになるが、この左右方向枠材１７ａ，１７ｂの両端部の下側に脚体８が固着されるので、パレット段積み時に上段パレットからの荷重が集中するサイドパネル２，３の前後２箇所、即ち、脚体８の真上領域が、パネル支持部２５の板面２５ａで支持されるので、当該サイドパネル２，３の他の領域がパネル支持部２５で支持されていなくとも問題はない。尚、前後方向線材１８に対して左右方向線材１９が下になる場合でも、図１１に示すように、ゲートパネル５をコイルヒンジで連結することになる最前端の左右方向線材１９ａは、前後方向線材１８の上に配設するのが望ましい。
【００３３】
荷支持台１におけるパネル支持部２５を構成するフレーム構造体６の枠材１６ａ，１６ｂは、先に説明したように、その天板部をパネル支持部２５の板面２５ａとして利用できる角パイプ材を利用するのが望ましいが、溝形材を下側解放向きで使用することもできる。又、図１２に示すように溝形材３０を上側開放向きで使用し、この溝形材３０の上側解放部を板材３１で閉塞し、当該板材３１でパネル支持部２５の板面２５ａを構成しても良い。この場合、図１３Ｂに示すように、前記板材３１を溝形材３０の全長にわたって架設して角パイプ状に構成しても良いが、図１３Ａに示すように、前記板材３１を溝形材３０の長さ方向の複数箇所に分けて架設することにより、サイドパネル２，３の下側辺を支持するパネル支持部２５の平坦な板面２５ａを前後長さ方向複数箇所に分割することができる。この構造を採用する場合、図示のように、少なくとも脚体８の真上領域には前記板材３１を架設するのが望ましい。
【図面の簡単な説明】
【００３４】
【図１】折り畳み自在な荷役用パレットの全体を示す斜視図である。
【図２】同上パレットの概略縦断側面図である。
【図３】Ａ図は同上パレットの荷支持台を示す一部切り欠き平面図、Ｂ図は同荷支持台の正面図、Ｃ図は同荷支持台の側面図である。
【図４】ゲートパネルを省いた状態でのパレット全体の横断平面図である。
【図５】Ａ図は要部の縦断正面図、Ｂ図はＡ図の要部の拡大図である。
【図６】第二の実施形態を示す荷支持台の側面図である。
【図７】図６の要部の拡大縦断正面図である。
【図８】第三の実施形態を示す要部の縦断正面図である。
【図９】第四の実施形態を示す荷支持台要部の一部切り欠き平面図である。
【図１０】第四の実施形態を示す荷支持台要部の拡大側面図である。
【図１１】第四の実施形態の変形例を示す荷支持台要部の拡大側面図である。
【図１２】第五の実施形態を示す要部の縦断正面図である。
【図１３】Ａ図は図１２のフレーム構造体を示す要部の平面図、Ｂ図はその変形例を示す要部の平面図である。
【符号の説明】
【００３５】
１    荷支持台
２，３    サイドパネル
４    バックパネル
５    ゲートパネル
６    荷支持台のフレーム構造体
７    荷支持台のメッシュ構造体
８    脚体
９，１１〜１３    ヒンジ
１０    バックパネルの折曲底辺部
１４    係止手段
１５    折り畳み段積み用支持具
１６ａ，１６ｂ    フレーム構造体の前後方向枠材
１７ａ〜１７ｃ    フレーム構造体の左右方向枠材
１８，１８ａ    メッシュ構造体の前後方向線材
１９，１９ａ    メッシュ構造体の左右方向線材
２０    バックパネルの縦線材
２０ａ    折曲底辺部の前後方向線材部
２１    バックパネルの横線材
２１ａ，２１ｂ    折曲底辺部の左右方向線材
２２ａ〜２２ｃ    ヒンジ部材
２３，２３ａ    サイドパネルの縦線材
２４，２４ａ    サイドパネルの横線材
２５    サイドパネル下側辺を支持する平坦な上面
２６    棒状部材（上向き突出部材）
２７    倒立Ｕ字形部材（上向き突出部材）
２８    凹入部
２９    延長枠材
３０    溝形材（前後方向枠材）
３１    板材
【図１】
2008285225.tif 000003
【図２】
2008285225.tif 000004
【図３】
2008285225.tif 000005
【図４】
2008285225.tif 000006
【図５】
2008285225.tif 000007
【図６】
2008285225.tif 000008
【図７】
2008285225.tif 000009
【図８】
2008285225.tif 000010
【図９】
2008285225.tif 000011
【図１０】
2008285225.tif 000012
【図１１】
2008285225.tif 000013
【図１２】
2008285225.tif 000014
【図１３】
2008285225.tif 000015